【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
溶媒処理物質の細孔内にトラッピングされている溶媒および溶媒付随液を溶解、置換、抽出、回収、および／または除去するための方法であって、
ａ）溶媒抽出組成物を供給するステップと、
ｂ）前記溶媒抽出組成物が前記溶媒処理物質の細孔に浸透するように、前記溶媒処理物質を前記溶媒抽出組成物に接触させるステップと、
ｃ）回収混合物を形成するステップとを含み、回収混合物は、溶媒抽出組成物に抽出された溶媒および溶媒付随液の少なくとも一部分を含み、さらに、
ｄ）溶媒抽出組成物に抽出されない溶媒処理物質からの非抽出物質を含むいずれかの残留物質から回収混合物を分離するステップを含む、方法。
【請求項２】
回収混合物を第１の部分と第２の部分とに分離するステップをさらに含み、第１の部分は、溶媒処理物質の細孔から抽出されたいずれかの溶媒および溶媒付随液の少なくとも一部分を含む溶媒生成物流を含み、第２の部分は、溶媒抽出組成物の少なくとも一部分を含む、請求項１に記載の方法。
【請求項３】
前記溶媒処理物質は、プラスチック、石炭、オイルシェール、タール（オイル）サンド、原油を含む貯留層、原油、天然ガス、ゴム、テレピン油液を用いて脱硫ゴム、またはその組合せから選択される、請求項１に記載の方法。
【請求項４】
前記溶媒は、テレピン油液、アルカン、芳香族、脂肪族アミン、芳香族アミン、二硫化炭素、石油を精製する際に製造される溶媒、デカント油、ライトサイクルオイル、ナフサ、石炭を乾留する際に製造される溶媒、液化した石炭を分留する際に製造される溶媒、ベンゼン、ナフタレン、トルエン、ペンタン、ヘプタン、ヘキサン、ベンゼン、トルエン、キシレン、ナフタレン、アントラセン、テトラリン、トリエチルアミン、アニリン、二硫化炭素、またはその混合物である、請求項１に記載の方法。
【請求項５】
前記テレピン油液は、天然テレピン油、合成テレピン油、ミネラルターペン、パイン油、アルファ‐ピネン、ベータ‐ピネン、アルファ‐テルピネオール、ベータ‐テルピネオール、ガンマ‐テルピネオール、３‐カレン、アネトール、ジペンテン（ｐ‐メンタ‐１，８‐ジエン）、テルペン樹脂、アルファ‐テルペン、ベータ‐テルペン、ガンマテルペン、ノポール、ピナン、カンフェン、ｐ‐シメン、アニスアルデヒド、２‐ピナンヒドロペルオキシド、３、７‐ジメチル‐１，６‐オクタジエン、酢酸イソボルニル、テルピン水和物、オシメン、２‐ピナノール、ジヒドロミルセノール、イソボルネオール、アロオシメン、アロオシメンアルコール、ゲラニオール、２‐メトキシ‐２，６‐ジメチル‐７，８‐エポキシオクタン、カンフル、ｐ‐メンタン‐８‐オール、アルファ‐酢酸テルピニル、シトラール、シトロネロール、７‐メトキシジヒドロキシシトロネラール、１０‐カンファースルホン酸、ｐ‐メンテン、酢酸ｐ‐メンタン‐８‐イル、シトロネラール、７‐ヒドロキシジヒドロシトロネラール、メントール、メントン、そのポリマー、およびその混合物から成る群から選択される、請求項４に記載の方法。
【請求項６】
前記溶媒抽出組成物は、アルコール、水酸基官能基を有する有機化合物、有機もしくは無機溶媒、またはその組合せを含む、請求項１に記載の方法。
【請求項７】
前記溶媒抽出組成物は、１つ以上の非環状または環状アルコールを含む、請求項１に記載の方法。
【請求項８】
前記溶媒抽出組成物は、メタノール、エタノール、プロパノール、イソプロパノール、ブタノール、イソブタノール、ペンタノール、１‐ペンタノール、３‐メチル‐１‐ブタ
ノール、２‐メチル‐１‐ブタノール、２，２‐ジメチル‐１‐プロパノール、３‐ペンタノール、２‐ペンタノール、３‐メチル‐２‐ブタノール、２‐メチル‐２‐ブタノール、ヘキサノール、１‐ヘキサノール、２‐ヘキサノール、３‐ヘキサノール、２‐メチル‐１‐ペンタノール、３‐メチル‐１‐ペンタノール、４‐メチル‐１‐ペンタノール、２‐メチル‐２‐ペンタノール、３‐メチル‐２‐ペンタノール、４‐メチル‐２‐ペンタノール、２‐メチル‐３‐ペンタノール、第三級３‐メチル‐３‐ペンタノール、第一級２，２‐ジメチル‐１‐ブタノール、２，３‐ジメチル‐１‐ブタノール、３，３‐ジメチル‐１‐ブタノール、２，３‐ジメチル‐２‐ブタノール、３，３‐ジメチル‐２‐ブタノール、２‐エチル‐１‐ブタノール、低級脂肪族アルコール、ベンゼン、トルエン、メチルエチルケトン（ＭＥＫ）、フルフラール、テトラヒドロフラン（ＴＨＦ）、アセトン、フッ化水素酸、ヘキサン、キシレン、またはその混合物を含む、請求項１に記載の方法。
【請求項９】
前記溶媒抽出組成物は、メタノール、エタノール、プロパノール、イソプロパノール、ブタノール、イソブタノール、ペンタノール、ヘキサノール、またはその混合物を含む、請求項１に記載の方法。
【請求項１０】
前記溶媒抽出組成物は、アルカン、芳香族類、脂肪族アミン、芳香族アミン、二硫化炭素、植物油、溶媒、石油を精製する際、石炭を乾留する際、液化した石炭を分留する際、および抽出された炭化水素をタール（オイル）サンドおよびオイルシェールから分留する際に製造される溶媒、ならびにその混合物から選択される第２の液体をさらに含む、請求項１に記載の方法。
【請求項１１】
第２の液体に対する、溶媒抽出組成物中のアルコール、水酸基官能基を有する有機化合物、および有機もしくは無機溶媒の体積比は約１：１以上である、請求項１０に記載の方法。
【請求項１２】
前記溶媒処理物質を重量比約１：６〜６：１の比率範囲で前記溶媒抽出組成物に接触させる、請求項１に記載の方法。
【請求項１３】
前記溶媒処理物質を重量比約１：４〜２：１の比率で前記溶媒抽出組成物に接触させる、請求項１２に記載の方法。
【請求項１４】
前記溶媒処理物質を重量比約１：３〜１：１の比率で前記溶媒抽出組成物に接触させる、請求項１２に記載の方法。
【請求項１５】
前記回収混合物中の溶媒抽出組成物の量は、溶媒処理物質の約１０〜約２５００重量％である、請求項１に記載の方法。
【請求項１６】
前記回収混合物中の溶媒抽出組成物の量は、溶媒処理物質の約３０〜約２００重量％である、請求項１５に記載の方法。
【請求項１７】
前記回収混合物中の溶媒抽出組成物の量は、溶媒処理物質の約５０〜約１５０重量％である、請求項１６に記載の方法。
【請求項１８】
前記回収混合物中の溶媒抽出組成物の量は、溶媒処理物質の約１００重量％である、請求項１７に記載の方法。
【請求項１９】
前記接触させるステップは、約２℃〜約４００℃の範囲内の温度で行なわれる、請求項１に記載の方法。
【請求項２０】
前記接触させるステップは、約１５℃〜約１５０℃の範囲内の温度で行なわれる、請求項１９に記載の方法。
【請求項２１】
前記溶媒処理物質を１〜３００分間前記溶媒抽出組成物に接触させる、請求項１に記載の方法。
【請求項２２】
前記溶媒処理物質を５〜６０分間前記溶媒抽出組成物に接触させる、請求項２１に記載の方法。
【請求項２３】
前記接触させるステップ（ｂ）は、１〜１０回繰返される、請求項１に記載の方法。
【請求項２４】
前記溶媒抽出組成物は、少なくとも１０％のアルコールを含む、請求項１に記載の方法。
【請求項２５】
前記溶媒抽出組成物は、少なくとも５０％のアルコールを含む、請求項１に記載の方法。
【請求項２６】
前記溶媒抽出組成物は、少なくとも９０％のアルコールを含む、請求項１に記載の方法。
【請求項２７】
前記接触させるステップは、前記接触させるステップ前に前記溶媒処理物質内に含まれていた溶媒およびいずれかの溶媒付随液の少なくとも５０％を抽出する、請求項１に記載の方法。
【請求項２８】
前記接触させるステップは、前記接触させるステップ前に前記溶媒処理物質内に含まれていた溶媒およびいずれかの溶媒付随液の少なくとも８０％を抽出する、請求項２７に記載の方法。
【請求項２９】
前記接触させるステップは、前記溶媒抽出組成物を沸騰させて還流することをさらに含む、請求項１に記載の方法。
【請求項３０】
前記方法は、前記溶媒処理物質を、実質的に非水性の溶媒抽出組成物に接触させることを含む、請求項１に記載の方法。
【請求項３１】
前記方法は、水または乳剤の使用を伴わない、請求項１に記載の方法。
【請求項３２】
前記方法は、塩または食塩水の使用を伴わない、請求項１に記載の方法。
【請求項３３】
前記溶媒抽出組成物は、界面活性剤を含む、請求項１に記載の方法。
【請求項３４】
前記溶媒抽出組成物は、界面活性剤が無いか、または界面活性剤が実質的に無い、請求項１に記載の方法。
【請求項３５】
前記溶媒抽出組成物は、ミセルが無いか、またはミセルが実質的に無い、請求項１に記載の方法。
【請求項３６】
炭化水素含有有機物をオイルシェールまたはタール（オイル）サンドからテレピン油液および／または他の付随液に抽出し、続いて、テレピン油液処理物質からテレピン油液および／または他の付随液を溶解、抽出、回収、および／または除去する方法であって、以
下のプロセスによって炭化水素含有有機物を抽出するステップを含み、当該プロセスは、
非水性テレピン油液を含む炭化水素抽出液を供給することと、
抽出混合物が形成されるように、オイルシェールまたはタール（オイル）サンドを前記炭化水素抽出液に接触させることとを含み、抽出混合物は、テレピン油液に抽出された前記オイルシェールまたはタール（オイル）サンドからの炭化水素含有有機物の少なくとも一部分を含み、さらに、
炭化水素抽出液において可溶性でないオイルシェールまたはタール（オイル）サンドからの非可溶性物質を含む残留テレピン油液処理物質から抽出混合物を分離することと、
溶媒抽出組成物を供給することと、
前記溶媒抽出組成物が前記残留テレピン油液処理物質の細孔に浸透するように、炭化水素抽出液において可溶性でないオイルシェールまたはタール（オイル）サンドからの非可溶性物質を含む残留テレピン油液処理物質を、前記溶媒抽出組成物に接触させることと、
回収混合物を形成することとを含み、回収混合物は、溶媒抽出組成物に抽出されたテレピン油液およびいずれかの付随液の少なくとも一部分を含み、さらに、
溶媒抽出組成物に抽出されないテレピン油液処理物質からの非抽出物質を含むいずれかの物質から回収混合物を分離することを含む、方法。